(57)【要約】【目的】  排紙時の枚葉紙のばたつきを解消して、枚葉紙の印刷面に傷や汚れが発生したり、枚葉紙に折れなどが発生する不具合を防止するとともに、印刷部からの枚葉紙の受け渡しを支障なく行うことができる枚葉印刷機の排紙装置の提供を目的とする。【構成】  排紙装置１のチェーングリッパ２の走行方向前面にチェーングリッパ前面の空気を上下に分けて後方に流す走行方向に凸な曲面断面を備えた整流カバー１０を設けたことを特徴とする。【選択図】  図１
2008308321.tif 000002
【特許請求の範囲】
【請求項１】
印刷部で印刷が終了した枚葉紙をチェーングリッパにより咥えて排紙台上に搬送し落下させて積載させる枚葉印刷機の排紙装置において、
前記チェーングリッパの走行方向前面にチェーングリッパ前面の空気を上下に分けて後方に流す整流カバーを設けたことを特徴とする枚葉印刷機の排紙装置。
【請求項２】
前記チェーングリッパは両端を無端チェーンによって支持された爪軸上に複数の爪部を備えて構成され、前記整流カバーは前記チェーングリッパの前面を前記複数の爪部の両端に位置するものを含めて覆うとともに走行方向に凸な曲面を備える断面を有し、
前記チェーングリッパが前記枚葉紙を搬送中に、その断面の凸な曲面の頂点が占める前記整流カバーの下端からの高さは、前記爪軸の断面中心を通り前記チェーングリッパの走行方向に垂直な面での前記整流カバー上面が占める前記下端からの高さの半分より低く、その頂点よりも上方に流れる空気の量が下方に流れる空気の量よりも多いことを特徴とする請求項１に記載の枚葉印刷機の排紙装置。
【請求項３】
前記整流カバーは、その上面がその下面よりも走行方向後方に長いことを特徴とする請求項１又は請求項２に記載の枚葉印刷機の排紙装置。
【請求項４】
前記整流カバーは、前記枚葉紙を前記印刷部から前記チェーングリッパに咥え変えする時点で、前記印刷部の胴から所定の距離以上離れた相互に干渉しない位置を保つことを特徴とする請求項１乃至請求項３のいずれか１項に記載の枚葉印刷機の排紙装置。
【発明の詳細な説明】
【技術分野】
【０００１】
本発明は、枚葉印刷機における排紙装置に関し、特に印刷後の枚葉紙の搬送時のばたつきを防止して枚葉紙を安定に排紙し積載する枚葉印刷機の排紙装置に関する。
【背景技術】
【０００２】
従来の枚葉印刷機の排紙装置は、印刷部にて印刷が完了した枚葉紙を巡回回転する無端チェーンに複数個連着されているチェーングリッパによって所定の位置まで搬送して積載する構造になっている。しかし、近年印刷スピードの向上とともに、紙揃えを良好に行って排紙台上に枚葉紙を一様に積載することが難しくなっている。この問題を解決するために、搬送された枚葉紙の紙尻を吸引してブレーキをかける吸引装置を装備し枚葉紙と等速で移動して枚葉紙を下支えする搬送ベルトや常時回転し吸引している吸引車などを設けて、チェーングリッパが紙放しを行ったときに枚葉紙の搬送スピードを減速させて枚葉紙を紙当てに当て紙揃えして排紙台上に積載するようにしている。
【０００３】
ところで、このような構成において、走行中の枚葉紙と搬送テーブルや搬送ベルトとの間に空気流が侵入し、これによって印刷された枚葉紙がばたついて紙ガイドなどと接触し印刷面に傷や汚れが発生したり、枚葉紙に折れなどが発生するという問題がある。この現象は、印刷速度の高速化に伴って枚葉紙の搬送スピードが速くなるほど顕著になり、印刷高速化の障害になっている。
【０００４】
この問題を解決するため、チェーングリッパと紙下ガイドとの間に隙間を生じさせないようにチェーングリッパ軸の前方に遮蔽板を設け、これによって空気の進入を防いで枚葉紙のばたつきを防ぐという関連技術の例が報告されている(特許文献１参照)。
【０００５】
【特許文献１】特開平７−２６７４５２号公報
【発明の開示】
【発明が解決しようとする課題】
【０００６】
しかしながら、この例では、チェーングリッパ軸の上方からの空気の巻き込みがあるため枚葉紙のばたつきは完全には解消されない。また、その構造上から圧胴や排紙胴とチェーングリッパ間の枚葉紙の受け渡し時に周辺の部材と干渉しやすいという問題があり枚葉紙の受け渡しが簡単に実施できないという問題がある。
【０００７】
本発明は、上記事情に鑑みてなされたもので、排紙時の枚葉紙のばたつきを解消して枚葉紙の印刷面に傷や汚れが発生したり、枚葉紙に折れなどが発生する不具合を防止するとともに、印刷部からの枚葉紙の受け渡しを支障なく行うことができる枚葉印刷機の排紙装置の提供を課題とする。
【課題を解決するための手段】
【０００８】
上記課題を解決するため、本発明は、印刷部で印刷が終了した枚葉紙をチェーングリッパにより咥えて排紙台上に搬送し落下させて積載させるための枚葉印刷機の排紙装置において、前記チェーングリッパの走行方向前面にチェーングリッパ前面の空気を上下に分けて後方に流す整流カバーを設けたことを特徴とする。
これにより、搬送中の枚葉紙に直接空気流が当たって枚葉紙がばたつくのを防ぐことが可能な枚葉印刷機の排紙装置を実現することができる。
【０００９】
ここで、前記チェーングリッパは両端を無端チェーンによって支持された爪軸上に複数の爪部を備えて構成され、前記整流カバーは前記チェーングリッパの前面を前記複数の爪部の両端に位置するものを含めて覆うとともに走行方向に凸な曲面を備える断面を有し、前記チェーングリッパが前記枚葉紙を搬送中に、その断面の凸な曲面の頂点が占める前記整流カバーの下端からの高さは、前記爪軸の断面中心を通り前記チェーングリッパの走行方向に垂直な面での前記整流カバー上面が占める前記下端からの高さの半分より低く、その頂点よりも上方に流れる空気の量が下方に流れる空気の量よりも多いことを特徴とする。
これにより、チェーングリッパ前方の空気を整流カバーの後上方に主として流し、整流カバーの下方に流れ込む空気の量を上方よりも少なくして搬送中に枚葉紙がばたつくのを防止することができる。
【００１０】
さらに、前記整流カバーは、その上面がその下面よりも走行方向後方に長いことを特徴とする。
これにより、空気流を整流カバーの後上方に流すことができるとともに、枚葉紙の印刷部からチェーングリッパへの受け渡し時に整流カバーの下面が動作の邪魔にならないようにすることができる。
【００１１】
また、前記整流カバーは、前記枚葉紙を前記印刷部から前記チェーングリッパに咥え変えする時点で、前記印刷部の胴から所定の距離以上離れた相互に干渉しない位置を保つことを特徴とする。
これにより、整流カバー、ことにその下端が、印刷された枚葉紙の受け渡し時に印刷部の胴や枚葉紙に触れて、正常な枚葉紙の受け渡しを阻害するような事態を避けて、安定した排紙を行うことができる。
【発明の効果】
【００１２】
本発明は、以上のように構成し機能するので、排紙時に搬送されている枚葉紙に直接空気流が当たって枚葉紙がばたつくのを防いで、枚葉紙の印刷面に傷や汚れが発生したり枚葉紙に折れなどが発生する不具合を防止するとともに、印刷部からの枚葉紙の受け渡しを支障なく行なうことができる枚葉印刷機の排紙装置を提供することができる。
【発明を実施するための最良の形態】
【００１３】
以下、本発明の実施形態について図面に基づいて詳細に説明する。
図１は、本発明が用いられる枚葉印刷機の排紙装置の説明用側面図である。
【００１４】
所定の印刷を終了した枚葉紙６は、印刷装置の最終段の印刷胴１８から排紙装置１へと受け渡される。すなわち、枚葉紙６は、スプロケット１９を巻回して走行するエンドレスチェーン９に具備された排紙装置１のチェーングリッパ２へ受け渡され、チェーングリッパ２に把持された状態で搬送ベルト１１上を移送させられる。
【００１５】
そして、枚葉紙６は搬送ベルト１１の下流でその紙尻を真空吸引車８によって吸引されて速度が制動され、減速した状態で排紙台２０に落下し、シート積重部の下流側上方に設けられた前当てに当接して前端が揃えられ、適当な位置でチェーングリッパ１０から開放されて、排紙台２０のパレット上へ順次落下し積み重ねられる。
【００１６】
ところで、近年の印刷速度の高速化に伴い、排紙装置１での枚葉紙６の搬送速度も高速化され、これによって、走行中の枚葉紙６と搬送ベルト１１との間に速い空気流が侵入し、枚葉紙６がばたつくという問題が生まれている。この問題を解決するため、本発明では、空気流が直接枚葉紙６に当たって枚葉紙６をばたつかせないように、チェーングリッパ２の前面に整流カバー１０を設けている。
【００１７】
図２に、チェーングリッパ２の下面図を、また、図３にその断面側面図を示す。
チェーングリッパ２は、その両端を無端チェーン９によって支持された爪軸３と、この爪軸３上に設けられた爪台５と咥え爪４とからなる複数の爪部を有して構成され、その咥え爪４で枚葉紙６を咥えて搬送する。
【００１８】
図２では図の下から上に向けての方向(矢印Ａの方向)、図３では右から左への方向（矢印Ａの方向）となるチェーングリッパ２の走行方向の前面には、整流カバー１０が、複数の爪部をその両端のものも含めてすべて覆うように設けられていて、前方からの空気流が直接チェーングリッパ２に当たり、チェーングリッパ２が把持している枚葉紙６がばたつくのを防いでいる。
【００１９】
図３に示すように、この整流カバー１０は、その断面が走行方向に対して凸な曲面を備えている。この曲面は、この凸部の頂点（図３でＰで示す）でチェーングリッパ２の走行方向の前面から来る空気流を上下に切り分けて後方に流す役割を果たす。このとき、整流カバー１０の頂点（Ｐ）から上の部分の高さと頂点（Ｐ）から下の部分の高さの比率を調整することで、チェーングリッパ２の前方の空気を主として上部後方に流し、下側に流れ込む空気の量を上側に流れる空気量よりも少なくするとともに、その量が常に一定になるようにしている。
【００２０】
具体的には、チェーングリッパ２が枚葉紙６を搬送して走行中に、その断面の凸な曲面の頂点（Ｐ）の整流カバー１０の下端（図３でＥで示す）からの高さ（図３でｈで示す）は、爪軸３の断面中心を通りチェーングリッパ２の走行方向に垂直な面での整流カバー１０の上面が占める下端（Ｅ）からの高さ（図３でＨで示す）の半分より低くするようにした。これによって、上部後方に流れる空気量を下側後方に流れる空気量よりも多くすることができる。
【００２１】
このように、整流カバー１０の上面側を流れる空気量を多くし下面側を流れる空気量を少なくしたので、枚葉紙６側に流れる空気流を少なくすることができ、枚葉紙６がばたつくのを防ぐことができる。また、枚葉紙の印刷部からチェーングリッパへの受け渡し時に整流カバーの下面が動作の邪魔にならないように、整流カバー１０の上側の面の長さに比べて下側の面の長さを短くするようにしても整流カバー１０の空気流を防ぐ機能への支障は少なくなる。
【００２２】
以上に述べたような整流カバー１０を用いると、整流カバー１０の後方に直接空気流が流れ込まない負圧部分が生じる。枚葉紙６はこの負圧部分の中に入って搬送されるため、ばたつくことがなく安定した搬送が望める。また、整流カバー１０はその表面を平滑にして渦などを発生させないようにして、チェーングリッパ２の周辺での空気の乱れを防ぐようにしている。
【００２３】
図４は、印刷部の印刷胴１８から排紙装置１のチェーングリッパ２に枚葉紙６を咥え変えする直前の周辺各部の状態を示す説明図である。
咥え変えは、チェーングリッパ２が取り付けられているエンドレスチェーン９を回転させるスプロケット１９の中心と、印刷部の印刷胴１８の中心を結ぶ線上で行われる。
【００２４】
上にも述べたように、整流カバー１０は下側の面が上側の面に比べて短く、咥え爪４が枚葉紙６を咥える位置まで伸びていないため、枚葉紙６の咥え変えに影響を及ぼすことはない。また、整流カバー１０の下端（Ｅ）は、印刷胴１８から所定の距離を保つように構成されているので、整流カバー１０と印刷胴１８とが相互に干渉しあうことはなく、干渉によって印刷、排紙に支障が生じることはない。
【００２５】
以上に述べたように、チェーングリッパ２の移動にしたがって生まれる空気流が、整流カバー１０によって爪軸３の後上方、あるいは後下方に流され、チェーングリッパ２の咥え爪４に咥えられた枚葉紙６に乱流が作用することがないため、枚葉紙６にばたつきが生まれることがなく、枚葉紙６の安定した搬送が得られる。
【産業上の利用可能性】
【００２６】
本発明は、枚葉印刷機の排紙装置において搬送中の枚葉紙のばたつきを防止することができるので、枚葉印刷機の製造業界や印刷業界の広い分野で広範な利用の可能性を有している。
【図面の簡単な説明】
【００２７】
【図１】本発明が用いられる枚葉印刷機の排紙装置の説明用側面図である。
【図２】本発明の排紙装置に用いられるチェーングリッパの下面図である。
【図３】本発明の排紙装置に用いられるチェーングリッパの断面側面図である。
【図４】印刷部の圧胴から本発明の排紙装置に枚葉紙を咥え変えする直前の周辺各部の状態を示す説明図である。
【符号の説明】
【００２８】
１  搬送装置
２  チェーングリッパ
３  爪軸
４  咥え爪
５  爪台
６  枚葉紙
８  真空吸引車
９  エンドレスチェーン
１０  整流カバー
１１  搬送ベルト
１８  印刷胴
１９  スプロケット
２０  排紙台
【図１】
2008308321.tif 000003
【図２】
2008308321.tif 000004
【図３】
2008308321.tif 000005
【図４】
2008308321.tif 000006